(57)【要約】【課題】入力される登録データのデータ定義の相違を簡素な構成で解消可能な画像処理装置、データ登録方法、データ登録プログラム、及び記録媒体を提供すること。【解決手段】画像処理装置は、予め定められた第１のデータ定義に従って設定された登録データを第１のデータ定義とは異なる第２のデータ定義に従った登録データに変換するための変換データを外部の記録媒体から読取可能な第１読取手段と、第１読取手段により読み取られる変換データに基づいて、第１のデータ定義に従った登録データを第２のデータ定義に従った登録データに変換するデータ変換手段と、データ変換手段によって変換された第２のデータ定義に従った登録データに基づいて画像処理装置を制御する制御手段を備える。【選択図】図４
2015198271.tif 000002
【特許請求の範囲】
【請求項１】
予め定められた第１のデータ定義に従って設定された登録データを前記第１のデータ定義とは異なる第２のデータ定義に従った前記登録データに変換するための変換データを外部の記録媒体から読取可能な第１読取手段と、
前記第１読取手段により読み取られる前記変換データに基づいて、前記第１のデータ定義に従った前記登録データを前記第２のデータ定義に従った前記登録データに変換するデータ変換手段と、
前記データ変換手段によって変換された前記第２のデータ定義に従った前記登録データに基づいて画像処理装置を制御する制御手段と、
を備える画像処理装置。
【請求項２】
前記データ変換手段が、前記第１のデータ定義に従った前記登録データのうち前記第２のデータ定義と異なる部分の切り捨て、無視、置換、及び追加のいずれか一つ又は複数の処理によって前記第１のデータ定義に従った前記登録データを前記第２のデータ定義に従った前記登録データに変換する請求項１に記載の画像処理装置。
【請求項３】
前記データ変換手段による前記登録データの変換後に、前記記録媒体に記録されている前記変換データを前記記録媒体から削除するデータ削除手段を更に備える請求項１又は２に記載の画像処理装置。
【請求項４】
前記画像処理装置の使用地域の入力操作を受け付ける操作受付手段を更に備え、
前記データ変換手段が、前記操作受付手段により受け付けられた前記使用地域に応じて前記登録データの内容を変更する請求項１〜３のいずれかに記載の画像処理装置。
【請求項５】
前記登録データの属するデータ定義を識別するための識別データが付加された前記登録データを前記記録媒体から読取可能な第２読取手段を更に備え、
前記第１読取手段が、前記記録媒体に記憶されている複数の前記変換データのうち、前記第２読取手段により読み取られる前記登録データに付加された前記識別データで識別される前記データ定義と前記画像処理装置に設定される前記登録データの属する前記データ定義との組み合わせに対応する前記変換データを選択して読み取る請求項１〜４のいずれかに記載の画像処理装置。
【請求項６】
前記記録媒体がＵＳＢ規格に基づいてデータの書き込み及び読み出しが可能なＵＳＢメモリーである請求項１〜５のいずれかに記載の画像処理装置。
【請求項７】
画像処理装置が備えるプロセッサーにより、
予め定められた第１のデータ定義に従って設定された登録データを前記第１のデータ定義とは異なる第２のデータ定義に従った前記登録データに変換するための変換データを外部の記録媒体から読み取る第１ステップと、
前記第１ステップにより読み取られる前記変換データに基づいて、前記第１のデータ定義に従った前記登録データを前記第２のデータ定義に従った前記登録データに変換する第２ステップと、
前記第２ステップによって変換された前記第２のデータ定義に従った前記登録データに基づいて画像処理装置を制御する第３ステップと、
を実行するデータ登録方法。
【請求項８】
画像処理装置が備えるプロセッサーに、
予め定められた第１のデータ定義に従って設定された登録データを前記第１のデータ定義とは異なる第２のデータ定義に従った前記登録データに変換するための変換データを外部の記録媒体から読み取る第１ステップと、
前記第１ステップにより読み取られる前記変換データに基づいて、前記第１のデータ定義に従った前記登録データを前記第２のデータ定義に従った前記登録データに変換する第２ステップと、
前記第２ステップによって変換された前記第２のデータ定義に従った前記登録データに基づいて画像処理装置を制御する第３ステップと、
を実行させるためのデータ登録プログラム。
【請求項９】
請求項８に記載のデータ登録プログラムを記録したコンピューター読取可能な記録媒体。
【発明の詳細な説明】
【技術分野】
【０００１】
本発明は、予め設定された登録データを入出力可能な画像処理装置、画像処理装置におけるデータ登録方法、画像処理装置で実行されるデータ登録プログラム、及び記録媒体に関する。
【背景技術】
【０００２】
一般に、複合機のような画像処理装置では、予め設定されたユーザーデータ、アドレス帳データ及びシステムデータなどの登録データに基づいて、複合機の各部の機能が制御される。ここで、複合機に設定される登録データを入出力可能とする技術が知られている。例えば、アドレス帳データファイルを指定されたファイル形式（電子名刺データファイルなど）に変換して出力可能であると共に、受信したアドレス帳データのファイル形式を検出してアドレス帳データファイルに変換可能な複合機が知られている（例えば、特許文献１参照）。
【先行技術文献】
【特許文献】
【０００３】
【特許文献１】特開２００７−２７９６２号公報
【発明の概要】
【発明が解決しようとする課題】
【０００４】
ところで、複合機に設定される登録データのデータ項目が、複合機全体の制御プログラムであるファームウェアのバージョンごとに定義付けされている場合がある。ここで、ファームウェアのバージョンが異なる旧機種で設定された登録データが複合機に入力される場合には、ファームウェアの各バージョンにおける登録データのデータ項目の定義（以下、「データ定義」と称する）が異なるために、入力に係る登録データを設定できないことがある。これに対し、新機種の側で、ファームウェアの各バージョンにおける登録データのデータ定義の相違をサポートする機能を持たせることが考えられる。しかしこの方法では、過去に販売された全ての旧機種をサポートすることになり、新機種の発売の度にサポートのために必要なデータ量が増大することになる。一方、ファームウェアのバージョンが異なる新機種で設定された登録データが複合機に入力される場合には、入力に係る登録データを設定するためには、複合機のファームウェアを新機種と同じバージョンにアップデートする必要があった。
【０００５】
そこで、従来においては、メーカーのサービスマンが、データ定義の相違を解消可能なデータ変換ツールがインストールされたノートパソコンなどの情報処理装置を用いて登録データを変換することで、新旧機種間における登録データのデータ定義の相違が解消されていた。
【０００６】
しかしながら、近年、ユーザーの情報セキュリティー意識の向上に伴い、メーカーのサービスマンが複合機の設置されたオフィス内にノートパソコンを持ち込むことが困難となっている。そのため、新旧機種間における登録データのデータ定義の相違を解消可能な他の手法が必要とされていた。
【０００７】
本発明の目的は、入力される登録データのデータ定義の相違を簡素な構成で解消可能な画像処理装置、データ登録方法、データ登録プログラム、及び記録媒体を提供することにある。
【課題を解決するための手段】
【０００８】
本発明の一の局面に係る画像処理装置は、第１読取手段と、データ変換手段と、制御手段を備える。前記第１読取手段は、予め定められた第１のデータ定義に従って設定された登録データを前記第１のデータ定義とは異なる第２のデータ定義に従った前記登録データに変換するための変換データを外部の記録媒体から読取可能である。前記データ変換手段は、前記第１読取手段により読み取られる前記変換データに基づいて、前記第１のデータ定義に従った前記登録データを前記第２のデータ定義に従った前記登録データに変換する。前記制御手段は、前記データ変換手段によって変換された前記第２のデータ定義に従った前記登録データに基づいて画像処理装置を制御する。
【０００９】
本発明の他の局面に係るデータ登録方法は、画像処理装置が備えるプロセッサーにより実行され、以下の第１ステップから第３ステップまでを含む。前記第１ステップでは、予め定められた第１のデータ定義に従って設定された登録データを前記第１のデータ定義とは異なる第２のデータ定義に従った前記登録データに変換するための変換データを外部の記録媒体から読み取る。前記第２のステップでは、前記第１ステップにより読み取られる前記変換データに基づいて、前記第１のデータ定義に従った前記登録データを前記第２のデータ定義に従った前記登録データに変換する。前記第３のステップでは、前記第２ステップによって変換された前記第２のデータ定義に従った前記登録データに基づいて画像処理装置を制御する。
【００１０】
本発明の他の局面に係るデータ登録プログラムは、画像処理装置が備えるプロセッサーに、以下の第１ステップから第３ステップまでを実行させるためのプログラムである。前記第１ステップでは、予め定められた第１のデータ定義に従って設定された登録データを前記第１のデータ定義とは異なる第２のデータ定義に従った前記登録データに変換するための変換データを外部の記録媒体から読み取る。前記第２ステップでは、前記第１ステップにより読み取られる前記変換データに基づいて、前記第１のデータ定義に従った前記登録データを前記第２のデータ定義に従った前記登録データに変換する。前記第３ステップでは、前記第２ステップによって変換された前記第２のデータ定義に従った前記登録データに基づいて画像処理装置を制御する。
【００１１】
本発明の他の局面に係る記録媒体は、画像処理装置が備えるプロセッサーに以下の第１ステップから第３ステップまでを実行させるためのデータ登録プログラムを記録した、コンピューター読取可能な記録媒体である。前記第１ステップでは、予め定められた第１のデータ定義に従って設定された登録データを前記第１のデータ定義とは異なる第２のデータ定義に従った前記登録データに変換するための変換データを外部の記録媒体から読み取る。前記第２ステップでは、前記第１ステップにより読み取られる前記変換データに基づいて、前記第１のデータ定義に従った前記登録データを前記第２のデータ定義に従った前記登録データに変換する。前記第３ステップでは、前記第２ステップによって変換された前記第２のデータ定義に従った前記登録データに基づいて画像処理装置を制御する。
【発明の効果】
【００１２】
本発明によれば、入力される登録データのデータ定義の相違を簡素な構成で解消することが可能になる。
【図面の簡単な説明】
【００１３】
【図１】本発明の実施の形態に係る画像処理装置の構成を示す図。
【図２】本発明の実施の形態に係る画像処理装置のシステム構成を示すブロック図。
【図３】本発明の実施の形態に係る画像処理装置で実行されるデータ登録処理の一例を示すフローチャート。
【図４】本発明の実施の形態に係る画像処理装置で実行されるデータ登録処理における登録データの変換例を示す図。
【発明を実施するための形態】
【００１４】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１５】
［画像処理装置１０の概略構成］
まず、図１及び図２を参照しつつ、本発明の実施の形態に係る画像処理装置１０の概略構成について説明する。図１及び図２に示すように、前記画像処理装置１０は、ＡＤＦ１、画像読取部２、画像形成部３、給紙部４、制御部５、操作表示部６、通信Ｉ／Ｆ部７、接続部８、及び記憶部９を備える。前記画像処理装置１０は、画像データに基づいて画像を形成するプリンター機能と共に、スキャン機能、ファクシミリー機能、又はコピー機能などの複数の機能を有する複合機である。なお、本発明は、スキャナー、プリンター、ファクシミリー、コピー機などの画像処理装置にも適用可能である。
【００１６】
前記ＡＤＦ１は、図１に示すように、原稿セット部１１、複数の搬送ローラー１２、原稿押さえ１３、及び排紙部１４を備える自動原稿搬送装置である。そして、前記ＡＤＦ１では、前記搬送ローラー１２各々が不図示のモーターで駆動されることにより、前記原稿セット部１１に載置された原稿が前記画像読取部２による画像データの読取位置を通過して前記排紙部１４まで搬送される。これにより、前記画像読取部２は、前記ＡＤＦ１により搬送される原稿から画像データを読み取ることが可能である。
【００１７】
前記画像読取部２は、図１に示すように、原稿台２１、読取ユニット２２、ミラー２３、２４、光学レンズ２５、及びＣＣＤ（Charge Coupled Device）２６を備える。前記原稿台２１は、前記画像読取部２の上面に設けられた原稿の載置部である。前記読取ユニット２２は、ＬＥＤ光源２２１及びミラー２２２を備え、不図示のモーターによって副走査方向（図１における左右方向）へ移動可能である。前記ＬＥＤ光源２２１は、主走査方向（図１における奥行方向）に沿って配列された多数の白色ＬＥＤを備える。前記ミラー２２２は、前記ＬＥＤ光源２２１から照射されて前記原稿台２１上の読取位置にある原稿の表面で反射した後の光を前記ミラー２３に向けて反射させる。そして、前記ミラー２２２で反射した光は、前記ミラー２３、２４によって前記光学レンズ２５に導かれる。前記光学レンズ２５は、入射した光を集光して前記ＣＣＤ２６に入射させる。前記ＣＣＤ２６は、前記光学レンズ２５から入射される光の受光量に応じた電気信号を前記原稿の画像データとして前記制御部５に入力する光電変換素子などを有する。
【００１８】
前記画像形成部３は、前記画像読取部２で読み取られた画像データ又は外部のパーソナルコンピューター等の情報処理装置から入力された画像データに基づいて画像形成処理（印刷処理）を実行する電子写真方式の画像形成部である。具体的に、前記画像形成部３は、図１に示すように、感光体ドラム３１、帯電装置３２、露光装置（ＬＳＵ）３３、現像装置３４、転写ローラー３５、クリーニング装置３６、定着ローラー３７、加圧ローラー３８、及び排紙トレイ３９を備える。そして、前記画像形成部３では、前記給紙部４に着脱可能な給紙カセット４１から供給される用紙に以下の手順で画像が形成され、画像形成後の用紙が前記排紙トレイ３９に排出される。
【００１９】
まず、前記帯電装置３２によって前記感光体ドラム３１が所定の電位に一様に帯電される。次に、前記露光装置３３により前記感光体ドラム３１の表面に画像データに基づく光が照射される。これにより、前記感光体ドラム３１の表面に画像データに対応する静電潜像が形成される。そして、前記感光体ドラム３１上の静電潜像は前記現像装置３４によってトナー像として現像（可視像化）される。なお、前記現像装置３４には、前記画像形成部３に着脱可能なトナーコンテナ３４Ａからトナー（現像剤）が補給される。続いて、前記感光体ドラム３１に形成されたトナー像は前記転写ローラー３５によって用紙に転写される。その後、用紙に転写されたトナー像は、その用紙が前記定着ローラー３７及び前記加圧ローラー３８の間を通過する際に前記定着ローラー３７で加熱されて溶融定着する。なお、前記感光体ドラム３１の表面に残存したトナーは前記クリーニング装置３６で除去される。
【００２０】
前記制御部５は、不図示のＣＰＵ、ＲＯＭ、ＲＡＭ、及びＥＥＰＲＯＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部５は、前記ＲＯＭに予め記憶された各種の制御プログラムを前記ＣＰＵを用いて実行することにより前記画像処理装置１０を統括的に制御する。
【００２１】
前記操作表示部６は、前記制御部５からの制御指示に応じて各種の情報を表示する液晶ディスプレーなどの表示部、及びユーザーの操作に応じて前記制御部５に各種の情報を入力するハードキー又はタッチパネルなどの操作部を有する。
【００２２】
前記通信Ｉ／Ｆ部７は、前記画像処理装置１０をインターネット又はＬＡＮ等の通信網に接続すると共に、前記通信網を通じてデータ通信を実行する通信インターフェースである。
【００２３】
前記接続部８は、ＵＳＢ規格に基づいてデータの入出力が可能な外部の電子機器が接続されるＵＳＢ接続端子を有する。例えば、前記接続部８には、ＵＳＢ規格に基づいてデータの書き込み及び読み出しが可能なＵＳＢメモリー８１が接続される。ここに、前記ＵＳＢメモリーが記録媒体の一例である。
【００２４】
前記記憶部９は、前記画像読取部２で読み取られた画像データ、又は外部のパーソナルコンピューター等の画像処理装置から入力された画像データを記憶するハードディスク又はＳＳＤなどの不揮発性の記憶手段である。
【００２５】
また、前記記憶部９には、ユーザーデータ、アドレス帳データ、及びシステムデータなどの登録データが記憶される。前記画像処理装置１０では、予め前記登録データが前記記憶部９における所定の領域に記憶されて設定されることで、前記制御部５が前記登録データに基づいて前記画像処理装置１０を制御することが可能である。なお、前記登録データは、前記画像処理装置１０の初期設定などにおいて、ユーザーの前記操作表示部６の入力操作に応じてその内容が定められ、前記記憶部９に記憶される。ここに、前記制御部５が、制御手段の一例である。
【００２６】
そして、前記画像処理装置１０では、設定された前記登録データを、前記接続部８に接続される前記ＵＳＢメモリーに記憶させて出力することが可能である。また、前記画像処理装置１０では、前記ＵＳＢメモリーから前記登録データを読み取って入力することで、読み取った前記登録データを前記画像処理装置１０に設定することも可能である。
【００２７】
ところで、前記画像処理装置１０に設定される前記登録データのデータ項目が、前記画像処理装置１０全体の制御プログラムであるファームウェアのバージョンごとに定義付けされている場合がある。ここで、前記ファームウェアのバージョンが異なる旧機種で設定された前記登録データが前記画像処理装置１０に入力される場合には、前記ファームウェアの各バージョンにおける前記登録データのデータ項目の定義（以下、「データ定義」と称する）が異なるために、入力に係る前記登録データを設定できないことがある。これに対し、新機種の側で、前記ファームウェアの各バージョンにおける前記登録データの前記データ定義の相違をサポートする機能を持たせることが考えられる。しかしこの方法では、過去に販売された全ての旧機種をサポートすることになり、新機種の発売の度にサポートのために必要なデータ量が増大することになる。一方、前記ファームウェアのバージョンが異なる新機種で設定された前記登録データが前記画像処理装置１０に入力される場合には、入力に係る前記登録データを設定するためには、前記画像処理装置１０の前記ファームウェアを新機種と同じバージョンにアップデートする必要があった。
【００２８】
そこで、従来においては、メーカーのサービスマンが、前記データ定義の相違を解消可能なデータ変換ツールがインストールされたノートパソコンなどの情報処理装置を用いて前記登録データを変換することで、新旧機種間における前記登録データの前記データ定義の相違が解消されていた。
【００２９】
しかしながら、近年、ユーザーの情報セキュリティー意識の向上に伴い、メーカーのサービスマンが前記画像処理装置１０の設置されたオフィス内にノートパソコンを持ち込むことが困難となっている。そのため、新旧機種間における前記登録データの前記データ定義の相違を解消可能な他の手法が必要とされていた。これに対して、本発明の実施形態に係る前記画像処理装置１０では、前記接続部８に接続される前記ＵＳＢメモリーから読み取られる変換データに基づいて、前記画像処理装置１０に入力される前記登録データを変換することで、前記登録データの前記データ定義の相違の解消が図られている。
【００３０】
具体的に、前記記憶部９には、前記制御部５に後述のデータ登録処理（図３のフローチャート参照）を実行させるためのデータ登録プログラムが予め記憶されている。なお、前記データ登録プログラムは、ＣＤ、ＤＶＤ、フラッシュメモリーなどのコンピューター読み取り可能な記録媒体に記録されており、前記記録媒体から前記記憶部９などの記憶手段にインストールされてもよい。
【００３１】
そして、前記制御部５は、図２に示すように、操作受付部５１、第１読取部５２、第２読取部５３、データ変換部５４、及びデータ削除部５５を含む。前記制御部５は、前記記憶部９に記憶された前記データ登録プログラムを前記ＣＰＵを用いて実行することにより、前記操作受付部５１、前記第１読取部５２、前記第２読取部５３、前記データ変換部５４、及び前記データ削除部５５として機能する。ここに、前記操作受付部５１が操作受付手段の一例であり、前記第１読取部５２が第１読取手段の一例である。また、前記第２読取部５３が第２読取手段の一例であり、前記データ変換部５４がデータ変換手段の一例である。更に、前記データ削除部５５がデータ削除手段の一例である。
【００３２】
前記操作受付部５１は、前記画像処理装置１０の使用地域の入力操作を受け付ける。具体的に、前記操作受付部５１は、前記操作表示部６に前記使用地域を入力するための入力画面を表示させて、ユーザーによる前記使用地域の入力操作を受け付ける。
【００３３】
前記第２読取部５３は、前記登録データの属する前記データ定義を識別するための識別データが付加された前記登録データを、前記接続部８に接続される前記ＵＳＢメモリーから読取可能である。例えば、前記識別データは、前記ファームウェアのバージョンを示すデータである。
【００３４】
前記第１読取部５２は、予め定められた第１のデータ定義に従って設定された前記登録データを前記第１のデータ定義とは異なる第２のデータ定義に従った前記登録データに変換するための前記変換データを、前記接続部８に接続される前記ＵＳＢメモリーから読取可能である。具体的に、前記第１のデータ定義は、前記ＵＳＢメモリーに記憶される前記登録データの属する前記データ定義であり、前記登録データに付加される前記識別データにより識別される。一方、前記第２のデータ定義は、前記画像処理装置１０に設定される前記登録データの属する前記データ定義であり、前記画像処理装置１０の前記ファームウェアに含まれる前記識別データにより識別される。
【００３５】
ここで、前記第１読取部５２は、前記ＵＳＢメモリーに記憶されている複数の前記変換データのうち、前記第２読取部５３により読み取られる前記登録データに付加された前記識別データで識別される前記第１のデータ定義と前記画像処理装置１０に設定される前記登録データの属する前記第２のデータ定義との組み合わせに対応する前記変換データを、選択して読み取る。具体的に、前記ＵＳＢメモリーには、変換前後の前記登録データの前記データ定義の組み合わせが異なる複数の前記変換データが記憶されており、複数の前記変換データ各々には、変換可能な前記データ定義の組み合わせを示す組合せデータが含まれている。そして、前記第１読取部５２は、前記第１のデータ定義及び前記第２のデータ定義に基づいて、前記変換データに含まれる前記組合せデータを参照することにより、前記ＵＳＢメモリーに記憶されている複数の前記変換データの中から、前記第１のデータ定義に従った前記登録データを前記第２のデータ定義に従った前記登録データに変換可能な前記変換データを読み取ることが可能である。
【００３６】
前記データ変換部５４は、前記第１読取部５２により読み取られる前記変換データに基づいて、前記第２読取部５３により読み取られる前記第１のデータ定義に従った前記登録データを、前記第２のデータ定義に従った前記登録データに変換する。例えば、前記データ変換部５４は、前記第１のデータ定義に従った前記登録データのうち、前記第２のデータ定義と異なる部分について、切り捨て、無視、置換、又は追加の処理を施すことによって、前記第１のデータ定義に従った前記登録データを前記第２のデータ定義に従った前記登録データに変換する。
【００３７】
また、前記データ変換部５４は、前記操作受付部５１により受け付けられた前記使用地域に応じて前記登録データの内容を変更する。具体的に、前記データ変換部５４は、前記変換データに含まれる前記使用地域毎に応じて予め定められた前記登録データの内容に基づいて、前記登録データの内容を変換する。
【００３８】
前記データ削除部５５は、前記データ変換部５４による前記登録データの変換後に、前記ＵＳＢメモリーに記録されている前記変換データを、前記ＵＳＢメモリーから削除する。
【００３９】
［データ登録処理］
以下、図３を参照しつつ、前記画像処理装置１０において前記制御部５が前記データ登録プログラムに従って実行するデータ登録処理の手順の一例について説明する。ここで、ステップＳ１、Ｓ２・・・は、前記制御部５により実行される処理手順（ステップ）の番号を表している。なお、前記データ登録処理は、前記画像処理装置１０の初期設定などにおいて、ユーザー等により前記データ登録処理を実行する旨の入力操作が前記操作表示部６に対して行われた場合に実行される。
【００４０】
＜ステップＳ１＞
まず、ステップＳ１において、前記制御部５は、前記画像処理装置１０の状態を、前記登録データに基づいて前記画像処理装置１０を制御する通常モードから、前記登録データを設定するための登録データ設定モードに移行させる。
【００４１】
＜ステップＳ２＞
ステップＳ２において、前記制御部５は、前記操作表示部６に、ユーザーによる前記登録データ及び前記変換データが記憶された前記ＵＳＢメモリーの前記接続部８への接続を促すメッセージを表示させる。なお、本実施の形態では、前記データ登録処理が実行されることにより必要となる作業をユーザーが実行する場合を例に挙げて説明するが、その作業が前記画像処理装置１０のメーカーのサービスマンなどによって行われることもある。
【００４２】
ここで、前記ステップＳ２の表示に従ってユーザーにより接続される前記ＵＳＢメモリーには、予めメーカーのサービスマン等により用意された前記変換データが記憶されている。また、前記ＵＳＢメモリーには、予め他の複合機等から出力された前記登録データが記憶されている。なお、前記登録データには、前記登録データの属する前記データ定義を識別するための前記識別データとして、前記登録データの出力元である複合機の前記ファームウェアのバージョンを示すデータが付加されている。前記変換データを記憶させる記憶媒体として前記ＵＳＢメモリーを用いることで、メーカーのサービスマンによる前記変換データを記憶させる記憶媒体の持ち運びが容易になる。また、ユーザーは、前記ＵＳＢメモリーに前記登録データを記憶させて前記接続部８に差し込むだけで、前記登録データの前記画像処理装置１０への設定入力を手軽に行うことが可能である。
【００４３】
＜ステップＳ３＞
ステップＳ３において、前記制御部５は、前記接続部８に前記ＵＳＢメモリーが接続されているか否かを判断する。
【００４４】
ここで、前記制御部５は、前記接続部８に前記ＵＳＢメモリーが接続されていると判断すると（Ｓ３のＹｅｓ側）、処理をステップＳ４に移行させる。また、前記接続部８に前記ＵＳＢメモリーが接続されていなければ（Ｓ３のＮｏ側）、前記制御部５は、前記ステップＳ３で前記接続部８に前記ＵＳＢメモリーが接続されるのを待ち受ける。
【００４５】
＜ステップＳ４＞
ステップＳ４において、前記制御部５は、前記操作表示部６に前記画像処理装置１０の前記使用地域を入力するための入力画面を表示させると共に、ユーザーによる前記使用地域の入力操作を促すメッセージを表示させる。
【００４６】
＜ステップＳ５＞
ステップＳ５において、前記制御部５は、前記ステップＳ４で表示された前記使用地域の入力画面において、ユーザーによる前記使用地域の入力操作が行われたか否かを判断する。
【００４７】
ここで、前記制御部５は、ユーザーによる前記使用地域の入力操作が行われたと判断すると（Ｓ５のＹｅｓ側）、処理をステップＳ６に移行させる。また、ユーザーによる前記使用地域の入力操作が行われていなければ（Ｓ５のＮｏ側）、前記制御部５は、前記ステップＳ５でユーザーによる前記使用地域の入力操作が行われるのを待ち受ける。ここに、前記ステップＳ５の処理は、前記制御部５の前記操作受付部５１により実行される。
【００４８】
＜ステップＳ６＞
ステップＳ６において、前記制御部５は、前記ステップＳ３でユーザーにより前記接続部８に接続された前記ＵＳＢメモリーから、前記識別データが付加された前記登録データを読み取る。ここに、前記ステップＳ６の処理は、前記制御部５の前記第２読取部５３により実行される。
【００４９】
＜ステップＳ７＞
ステップＳ７において、前記制御部５は、前記接続部８に接続されている前記ＵＳＢメモリーから、前記ステップＳ６で読み取られた前記登録データを前記画像処理装置１０に設定される前記登録データの属する前記第２のデータ定義に従った前記登録データに変換するための前記変換データを読み取る。具体的に、前記制御部５は、前記ステップＳ６で読み取られた前記登録データに付加された前記識別データ及び前記画像処理装置１０の前記ファームウェアに含まれる前記識別データを参照することで、前記第１のデータ定義及び前記第２のデータ定義を識別する。そして、前記制御部５は、識別された前記第１のデータ定義及び前記第２のデータ定義に基づいて、前記変換データに含まれる前記組合せデータを参照することで、前記ＵＳＢメモリーに記憶された複数の前記変換データの中から、前記第１のデータ定義に従った前記登録データを前記第２のデータ定義に従った前記登録データに変換可能な前記変換データを読み取る。これにより、メーカーのサービスマンにおいて、前記ＵＳＢメモリーに記憶させる前記変換データを、ユーザーに合わせて選択する手間が軽減される。ここに、前記ステップＳ７の処理が、第１ステップの一例であって、前記制御部５の前記第１読取部５２により実行される。
【００５０】
なお、前記登録データに前記識別データが付加されておらず、前記ＵＳＢメモリーに１つの前記変換データが記憶されており、前記ステップＳ７において、前記制御部５が、前記ＵＳＢメモリーから前記変換データを読み取ることも他の実施形態として考えられる。これにより、前記登録データには、前記識別データが予め付加されている必要がなく、前記識別データを付加する機能を有していない画像処理装置から出力された前記登録データについても処理することが可能となるため汎用性が高まる。
【００５１】
＜ステップＳ８＞
ステップＳ８において、前記制御部５は、前記ステップＳ７で読み取られた前記変換データに基づいて、前記ステップＳ６で読み取られた前記第１のデータ定義に従った前記登録データを、前記第２のデータ定義に従った前記登録データに変換する。具体的に、前記制御部５は、前記第１のデータ定義に従った前記登録データのうち、前記第２のデータ定義と異なる部分について、切り捨て、無視、置換、又は追加の処理を施すことによって、前記第１のデータ定義に従った前記登録データを前記第２のデータ定義に従った前記登録データに変換する。また、前記制御部５は、前記ステップＳ５でユーザーにより入力された前記使用地域に応じて前記登録データの内容を変更する。具体的に、前記制御部５は、前記変換データに含まれる前記使用地域毎に応じて予め定められた前記登録データの内容に基づいて、前記登録データの内容を変更する。そして、前記制御部５は、変換後の前記登録データを前記記憶部９の前記所定の領域に記憶させることで、前記登録データを前記画像処理装置１０に設定する。ここに、前記ステップＳ８の処理が、第２ステップの一例であって、前記制御部５の前記データ変換部５４により実行される。
【００５２】
以下図４を参照しつつ、前記ステップＳ８における、前記制御部５による前記変換データに基づく前記登録データの変換について、例を挙げて説明する。
【００５３】
まず、前記制御部５が、前記第１のデータ定義に従った前記登録データのうち前記第２のデータ定義と異なる部分について、切り捨ての処理を施すことより変換する場合について説明する。ここでは、図４に示すように、前記第１のデータ定義において、前記登録データに含まれるユーザーデータの一項目である「ユーザー名」のデータ長が３２文字までと定められており、前記第２のデータ定義において、前記ユーザーデータの「ユーザー名」のデータ長が１６文字までと定められている場合を例に挙げる。この場合、前記変換データには、前記ユーザーデータの「ユーザー名」の３２文字分のデータから１６文字分を超えるデータを切り捨てる処理を指示する旨のデータが含まれている。そのため、前記制御部５は、前記変換データに基づいて、前記登録データに含まれる前記ユーザーデータの「ユーザー名」のデータから、１６文字分を超えるデータを切り捨てて、前記記憶部９の前記所定の領域に記憶させる処理を実行することになる。
【００５４】
次に、前記制御部５が、前記第１のデータ定義に従った前記登録データのうち前記第２のデータ定義と異なる部分について、無視及び追加の処理を施すことより変換する例について説明する。ここでは、図４に示すように、前記第１のデータ定義において、前記登録データに含まれるアドレス帳データの項目として「名前」、「電話番号」、及び「携帯アドレス」が定められており、前記第２のデータ定義において、前記アドレス帳データの項目として「名前」、「電話番号」、「ＦＡＸ番号」、及び「電子メールアドレス」が定められている場合を例に挙げる。この場合、前記変換データには、前記アドレス帳データの「携帯アドレス」の項目を無視し、「ＦＡＸ番号」及び「電子メールアドレス」の項目を追加する処理を指示する旨のデータが含まれている。そのため、前記制御部５は、前記変換データに基づいて、前記登録データに含まれる前記アドレス帳データの「携帯アドレス」の項目を無視し、前記登録データに含まれる前記アドレス帳データの「名前」、「電話番号」の項目に「ＦＡＸ番号」及び「電子メールアドレス」の項目を追加して、前記記憶部９の前記所定の領域に記憶させる処理を実行することになる。なお、前記制御部５は、「ＦＡＸ番号」及び「電子メールアドレス」の項目については、空データが項目内容として設定された状態で、前記記憶部９に記憶させる。
【００５５】
次に、前記制御部５が、前記第１のデータ定義に従った前記登録データのうち前記第２のデータ定義と異なる部分について、置換の処理を施すことより変換する例について説明する。ここでは、図４に示すように、前記第１のデータ定義に従えば、前記登録データに含まれるシステムデータの一項目である「デフォルトコピー設定」の内容として「カラー」の選択が可能であり、前記第２のデータ定義に従えば、前記システムデータの「デフォルトコピー設定」の内容として「カラー」の選択が不可である（前記画像処理装置１０にカラーコピー機能がない）場合を例に挙げる。この場合、前記変換データには、前記システムデータの「デフォルトコピー設定」の内容を「カラー」から「モノクロ」に置換する処理を指示する旨のデータが含まれている。そのため、前記制御部５は、前記変換データに基づいて、前記登録データに含まれる前記システムデータの「デフォルトコピー設定」の内容を「モノクロ」に置換して、前記記憶部９の前記所定の領域に記憶させる処理を実行することになる。
【００５６】
次に、前記制御部５が、前記ステップＳ５でユーザーにより入力された前記使用地域に応じて、前記第１のデータ定義に従った前記登録データの内容を変更する例について説明する。ここでは、図４に示すように、前記第１のデータ定義に従った前記登録データでは、前記システムデータの一項目である「ＦＡＸＣｏｕｎｔｒｙＣｏｄｅ」の内容がアメリカ用の「１０」と定められており、ユーザーにより入力された前記使用地域が南米である場合を例に挙げる。この場合、前記変換データには、前記使用地域毎に応じて予め定められた「ＦＡＸＣｏｕｎｔｒｙＣｏｄｅ」の内容が含まれており、南米については「２０」と定められている。そのため、前記制御部５は、前記変換データに基づいて、前記登録データに含まれる前記システムデータの「ＦＡＸＣｏｕｎｔｒｙＣｏｄｅ」の内容を南米用の「２０」に変更して、前記記憶部９の前記所定の領域に記憶させる処理を実行することになる。これにより、前記ＵＳＢメモリーに記憶される前記登録データが、前記画像処理装置１０の前記使用地域に適合しない内容を含む場合であっても、前記使用地域に合わせた内容に自動的に変更され、ユーザーの設定変更の手間が軽減される。
【００５７】
なお、前記使用地域が、例えば標高の高い地域であれば、前記画像形成部３の前記定着ローラー３７の温度及び前記加圧ローラー３８の圧力などを標高の高さに応じて変更する必要があるものと考えられる。そこで、前記使用地域毎に応じて予め定められた前記登録データの内容として、前記画像形成部３に関する制御パラメーターなどを含めることが考えられる。
【００５８】
＜ステップＳ９＞
ステップＳ９において、前記制御部５は、前記ＵＳＢメモリーに記録されている前記変換データを、前記ＵＳＢメモリーから削除する。これにより、メーカー独自の規格に基づいて作成された前記変換データの内容がユーザーに露見する可能性が低減される。また、前記ステップＳ９において、前記制御部５が、前記ＵＳＢメモリーに記憶されている前記登録データを前記ＵＳＢメモリーから削除することも考えられる。これにより、前記登録データに含まれる個人情報などの漏洩の可能性が低減される。さらに、前記ステップＳ９において、前記制御部５が、前記ＵＳＢメモリーに記憶されている前記変換データ及び前記登録データなどの削除の有無を選択するための選択画面を前記操作表示部６に表示させ、前記操作表示部６に対する選択操作に応じて削除の有無を切り替えることも考えられる。
【００５９】
＜ステップＳ１０＞
ステップＳ１０において、前記制御部５は、前記画像処理装置１０の状態を、前記登録データ設定モードから、前記ステップＳ８で設定された前記登録データに基づいて前記画像処理装置１０を制御する前記通常モードに移行させる。ここに、前記ステップＳ１０の処理が、第３ステップの一例である。
【００６０】
このように、前記データ登録処理では、前記接続部８に接続される前記ＵＳＢメモリーから、前記登録データ及び前記変換データが読み取られる。そして、読み取られた前記登録データが、同じく読み取られた前記変換データに基づいて、前記画像処理装置１０で設定可能な前記登録データの前記データ定義に合わせた内容に変換される。そのため、前記データ定義の相違を解消させるために、前記画像処理装置１０に前記ファームウェアの各バージョンにおける前記データ定義の相違をサポートする機能を備えさせることなく、簡素な構成で前記画像処理装置１０に入力される前記登録データの前記データ定義の相違を解消可能である。また、前記ファームウェアのバージョンが異なる新機種で設定された前記登録データが前記画像処理装置１０に入力される場合であっても、前記画像処理装置１０の前記ファームウェアを新機種と同じバージョンにアップデートすることなく、新機種で設定された前記登録データを前記画像処理装置１０に入力可能である。
【００６１】
なお、前記登録データが記録される前記記録媒体は、前記ＵＳＢメモリーに限られない。例えば、前記画像処理装置１０が光ディスクの読取装置を備える場合には、前記記録媒体はＣＤ又はＤＶＤであってもよい。また、前記画像処理装置１０がＳＤカードスロットを備える場合には、前記記録媒体はＳＤカードであってもよい。更に、前記記録媒体はＵＳＢケーブルを接続可能なハードディスクドライブであってもよい。
【符号の説明】
【００６２】
１  ：ＡＤＦ
２  ：画像読取部
３  ：画像形成部
４  ：給紙部
５  ：制御部
５１：操作受付部
５２：第１読取部
５３：第２読取部
５４：データ変換部
５５：データ削除部
６  ：操作表示部
７  ：通信Ｉ／Ｆ部
８  ：接続部
８１：ＵＳＢメモリー
９  ：記憶部
１０：画像処理装置
【図１】
2015198271.tif 000003
【図２】
2015198271.tif 000004
【図３】
2015198271.tif 000005
【図４】
2015198271.tif 000006